(57)【要約】【課題】被監視者に監視していることを気が付かせないで、被監視者が操作する被監視装置を監視装置で監視することが可能な監視システムを提供する。【解決手段】被監視装置として子機９、被監視装置を監視する監視装置としてＰＣ３を有する監視システム１において、ＰＣ３は、電源投入または再起動の際に、起動メッセージを子機９へ送信し、子機９は、ＰＣ３からの起動メッセージを受信すると、応答メッセージを要求する旨の表示を行う。画像データの送信を要求する応答メッセージの入力があると応答メッセージをＰＣ３へ送信する。子機９から送信された応答メッセージを受信すると、表示している画像データを子機９へ送信する。そして子機９は、ＰＣ３からの画像データを表示する。【選択図】図１
2006229413.tif 000002
【特許請求の範囲】
【請求項１】
被監視装置と、前記被監視装置を監視する監視装置とを有する監視システムにおいて、
前記被監視装置は、
電源投入または再起動の際に、起動通知を前記監視装置へ送信する手段と、
画像データを要求する応答通知を前記監視装置から受信すると、表示している画像データを前記監視装置へ送信する手段とを備え、
前記監視装置は、
前記起動通知を前記被監視装置から受信すると、応答操作を要求する旨の表示をする手段と、
前記応答操作の入力があると前記応答通知を前記被監視装置へ送信する手段と、
前記被監視装置からの前記画像データを表示する手段とを備えたことを特徴とする監視システム。
【請求項２】
前記監視装置は、
前記応答操作を要求する旨の表示をした後に、所定時間経過しても前記応答操作の入力がないときに、無応答通知を前記被監視装置へ送信する手段と、
前記被監視装置を操作した内容を示す操作情報を受信して蓄積する手段とを備え、
前記被監視装置は、
前記無応答通知を受信した後に操作されると、前記操作情報を前記監視装置へ送信する手段
を備えたことを特徴とする請求項１記載の監視システム。
【請求項３】
前記監視装置は、
前記起動通知を受信したときに、他の機能で画面を使用していると、ビジー応答通知を前記被監視装置へ送信する手段と、
前記ビジー応答通知に応答して前記被監視装置から送信される縮小画像データを表示する手段を備え、
前記被監視装置は、
前記ビジー応答通知を受信すると、前記監視装置の画面のサイズに応じて、前記画像データを縮小した前記縮小画像データを前記監視装置へ送信する手段を備えたことを特徴とする請求項１または２記載の監視システム。
【請求項４】
被監視装置を監視する監視装置において、
前記被監視装置の電源投入または再起動の際に送信される起動通知を受信して応答操作を要求する旨の表示をする手段と、
前記応答操作の入力があると被監視装置が表示している画像データの送信を要求する応答通知を前記被監視装置へ送信する手段と、
前記被監視装置が前記応答通知に応答して送信する前記画像データを受信して表示する手段とを備えたことを特徴とする監視装置。
【請求項５】
前記応答操作を要求する旨の表示をした後に、所定時間経過しても前記応答操作の入力がないときに、無応答通知を前記被監視装置へ送信する手段と、
前記被監視装置が前記無応答通知を受信した後に送信する操作した内容を示す操作情報を受信して蓄積する手段とを備えたことを特徴とする請求項４記載の監視装置。
【請求項６】
前記起動通知を受信したときに、他の機能で画面を使用していると、ビジー応答通知を被監視装置へ送信する手段と、
前記ビジー応答通知に応答して前記被監視装置から送信される前記画面サイズに応じた縮小画像データを表示する手段とを備えたことを特徴とする請求項４または５記載の監視装置。
【請求項７】
監視装置が監視する被監視装置において、
電源投入または再起動の際に起動通知を前記監視装置へ送信する手段と、
前記監視装置が、前記起動通知を受信して、応答操作を要求する旨の表示に対応した画像データの要求の入力がされると送信する応答通知を受信する手段と、
前記応答通知を前記監視装置から受信すると、表示している画像データを前記監視装置へ送信する手段とを備えたことを特徴とする被監視装置。
【請求項８】
前記監視装置が、前記応答操作を要求する旨の表示をした後に、所定時間経過しても前記応答操作の入力がないときに送信する無応答通知を受信する手段と、
前記無応答通知を受信した後に操作されると、操作した内容を示す操作情報を前記監視装置へ送信する手段とを備えたことを特徴とした請求項７記載の被監視装置。
【請求項９】
前記監視装置が、前記起動通知を受信したときに、他の機能で画面を使用していると送信するビジー応答通知を受信する手段と、
前記ビジー応答通知を受信すると、前記監視装置の画面のサイズに応じて、前記画像データを縮小した縮小画像データを前記監視装置へ送信する手段を備えたことを特徴とする請求項７または８記載の被監視装置。
【請求項１０】
コンピュータを、請求項４から６のいずれかの項に記載の監視装置として機能させることを特徴とする監視プログラム。
【請求項１１】
コンピュータを、請求項７から９のいずれかの項に記載の被監視装置として機能させることを特徴とする監視プログラム。
【発明の詳細な説明】
【技術分野】
【０００１】
本発明は、監視者が遠隔地からでも被監視者の操作を監視することができる監視システム、監視装置、被監視装置および監視プログラムに関する。
【背景技術】
【０００２】
離れている場所にあるコンピュータの表示を監視したい場合がある。例えば、パソコン講習では、講師は、受講者がどのような操作をしているか知る必要があるが、いちいち講師が多数の受講者の間を行き来するのは大変である。そうした場合に、監視システムとして例えば（特許文献１）に記載されたワイヤレスディスプレイシステムが好適である。
【０００３】
（特許文献１）に記載のワイヤレスディスプレイシステムは、無線通信機能を備えた複数のコンピュータと、複数の内のいくつかのコンピュータから送信される画面データを受信して表示するワイヤレスディスプレイとからなるものである。このワイヤレスディスプレイシステムでは、複数のコンピュータを被監視装置として受講者がそれぞれ使用し、それらの画面データを表示するワイヤレスディスプレイを監視装置として講師が使用することで、講師が同時に複数の受講者のコンピュータをモニタすることができるので、講師が受講者の間を行き来する手間を省くことができる。
【０００４】
ところで、このような監視システムでは、監視者が監視装置を操作して被監視装置のコンピュータへの接続起動をすると、被監視者のコンピュータへ接続要求画面が表示される。そして被監視者はこの接続要求画面に応じて接続操作すると、監視者のコンピュータと被監視者のコンピュータとがネットワークを介して接続され、被監視者のコンピュータから画面データの送信が監視者のコンピュータへ向けて開始される。
【０００５】
このような手順であっても、被監視者が、監視者に監視されていることが判っているので可能である。
【特許文献１】特開２００２−３２３８８４号公報
【発明の開示】
【発明が解決しようとする課題】
【０００６】
しかし、被監視者が子供で、監視者がその子供の親である場合では、子供は親に監視されたくないので、監視者である親からの接続要求に対して、被監視者の子供に応答させることは困難である。また、被監視者である子供に、わざわざ監視プログラムを起動させて、親が使用するコンピュータへ接続操作させることは、更に困難である。
【０００７】
子供は、子供が操作しているコンピュータの内容を、親が監視していることに気付くと、親に対して不信感を抱くものである。
【０００８】
そこで本発明は、被監視者に監視していることを気が付かせないで、被監視者の操作を監視することが可能な監視システム、監視装置、被監視装置および監視プログラムを提供することを目的とする。
【課題を解決するための手段】
【０００９】
本発明は、被監視装置と、前記被監視装置を監視する監視装置とを備え、前記被監視装置は、電源投入または再起動の際に、起動通知を前記監視装置へ送信する手段と、画像データを要求する応答通知を前記監視装置から受信すると、表示している画像データを前記監視装置へ送信する手段とを備え、前記監視装置は、前記起動通知を前記被監視装置から受信すると、応答操作を要求する旨の表示をする手段と、前記応答操作の入力があると前記応答通知を前記被監視装置へ送信する手段と、前記被監視装置からの前記画像データを表示する手段とを備えたことを特徴とする。
【発明の効果】
【００１０】
本発明によれば、被監視装置の電源投入または再起動で起動通知が送信されることを契機に、監視装置が監視を行うことができるので、被監視者に監視していることを気が付かせないで、被監視者が操作する被監視装置を監視することが可能である。
【発明を実施するための最良の形態】
【００１１】
本発明の請求項１の発明は、被監視装置と、被監視装置を監視する監視装置とを有する監視システムにおいて、被監視装置は、電源投入または再起動の際に、起動通知を監視装置へ送信する手段と、画像データを要求する応答通知を監視装置から受信すると、表示している画像データを監視装置へ送信する手段とを備え、監視装置は、起動通知を被監視装置から受信すると、応答操作を要求する旨の表示をする手段と、応答操作の入力があると応答通知を被監視装置へ送信する手段と、被監視装置からの画像データを表示する手段とを備えたことを特徴としたものである。
【００１２】
電源投入または再起動の際に、被監視装置が起動通知を監視装置へ送信する。監視装置はこの起動通知を受信すると、応答操作を要求する旨の表示をして監視者に報知する。監視者が監視装置に応答操作を入力することで、監視装置が応答通知を被監視装置へ送信する。被監視装置はこの応答通知を受信することで、表示している画像データを監視装置へ送信する。監視装置は、被監視装置からの画像データを表示することで監視を行うことができる。従って、被監視装置の電源投入または再起動で起動通知が送信されることを契機に、監視装置が監視を行うことができる。つまり被監視装置を操作する被監視者が改めて監視プログラムの起動操作を行う必要がないので、被監視者に監視されていることを意識させることがない。
【００１３】
本発明の請求項２の発明は、監視装置は、応答操作を要求する旨の表示をした後に、所定時間経過しても応答操作の入力がないときに、無応答通知を被監視装置へ送信する手段と、被監視装置を操作した内容を示す操作情報を受信して蓄積する手段とを備え、被監視装置は、無応答通知を受信した後に操作されると、操作情報を監視装置へ送信する手段を備えたことを特徴としたものである。
【００１４】
監視装置は、応答操作を要求する旨の表示をした後に所定時間経過しても応答操作の入力がないときに、被監視装置へ無応答通知を送信する。被監視装置は、この無応答通知を受信すると、被監視装置を操作した内容を示す操作情報を監視装置へ送信する。そして、監視装置は、この操作情報を蓄積するので、被監視者が忙しく応答操作をすることができない場合でも、被監視者が被監視装置を操作した様子を、後で監視装置側において確認することができる。
【００１５】
本発明の請求項３の発明は、監視装置は、起動通知を受信したときに、他の機能で画面を使用していると、ビジー応答通知を被監視装置へ送信する手段と、ビジー応答通知に応答して被監視装置から送信される縮小画像データを表示する手段を備え、被監視装置は、ビジー応答通知を受信すると、監視装置の画面のサイズに応じて、画像データを縮小した縮小画像データを監視装置へ送信する手段を備えたことを特徴としたものである。
【００１６】
監視装置は、起動通知を受信したときに、他の機能で画面を使用していると、ビジー応答通知を被監視装置へ送信する。被監視装置は、ビジー応答通知を受信すると、監視装置の画面のサイズに応じて、画像データを縮小した縮小画像データを監視装置へ送信する。そして、監視装置は、被監視装置から送信される縮小画像データを表示するので、監視者が監視装置の画面を、他の機能で使用していても、縮小された縮小画像データを表示するので、他の機能の表示を阻害することが軽減される。また縮小画像データは、通常の画像データと比較してデータサイズを小さいものとすることができるので、監視装置を他の機能で使用していたとしても、監視装置の負荷を軽減することができる。
【００１７】
本発明の請求項４の発明は、被監視装置を監視する監視装置において、被監視装置の電源投入または再起動の際に送信される起動通知を受信して応答操作を要求する旨の表示をする手段と、応答操作の入力があると被監視装置が表示している画像データの送信を要求する応答通知を被監視装置へ送信する手段と、被監視装置が応答通知に応答して送信する画像データを受信して表示する手段とを備えたことを特徴としたものである。
【００１８】
監視装置が、電源投入または再起動の際に、被監視装置から送信される起動通知を受信すると、応答操作を要求する旨の表示をして監視者に報知する。監視者が監視装置に応答操作を入力することで、監視装置が応答通知を被監視装置へ送信し、この応答通知の応答として被監視装置から表示している画像データを受信して表示することで監視装置で被監視装置の監視を行うことができる。従って、被監視装置の電源投入または再起動で起動通知が送信されることを契機に、監視装置が監視を行うことができる。つまり被監視装置を操作する被監視者が改めて監視プログラムの起動操作を行わないので、被監視者に監視されていることを意識させることがない。
【００１９】
本発明の請求項５の発明は、応答操作を要求する旨の表示をした後に、所定時間経過しても応答操作の入力がないときに、無応答通知を被監視装置へ送信する手段と、被監視装置が無応答通知を受信した後に送信する操作した内容を示す操作情報を受信して蓄積する手段とを備えたことを特徴としたものである。
【００２０】
監視装置は、応答操作を要求する旨の表示をした後に所定時間経過しても応答操作の入力がないときに、被監視装置へ無応答通知を送信する。監視装置は、無応答通知に対する被監視装置を操作した内容を示す操作情報を被監視装置から受信すると、この操作情報を蓄積するので、被監視者が忙しく応答操作をすることができない場合でも、被監視者が被監視装置を操作した様子を、後で監視装置側において確認することができる。
【００２１】
本発明の請求項６の発明は、起動通知を受信したときに、他の機能で画面を使用していると、ビジー応答通知を被監視装置へ送信する手段と、ビジー応答通知に応答して被監視装置から送信される画面サイズに応じた縮小画像データを表示する手段とを備えたことを特徴としたものである。
【００２２】
監視装置は、起動通知を受信したときに、他の機能で画面を使用していると、ビジー応答通知を被監視装置へ送信する。被監視装置からビジー応答通知に対して監視装置の画面のサイズに応じた画像データを縮小した縮小画像データが送信されるので、監視装置はこの縮小画像データを表示する。従って、監視者が監視装置の画面を、他の機能で使用していても、縮小された縮小画像データを表示するので、他の機能の表示を阻害することが軽減される。また縮小画像データは、通常の画像データと比較してデータサイズを小さいものとすることができるので、監視装置を他の機能で使用していたとしても、監視装置の負荷を軽減することができる。
【００２３】
本発明の請求項７の発明は、監視装置が監視する被監視装置において、電源投入または再起動の際に起動通知を監視装置へ送信する手段と、監視装置が、起動通知を受信して、応答操作を要求する旨の表示に対応した画像データの要求の入力がされると送信する応答通知を受信する手段と、応答通知を監視装置から受信すると、表示している画像データを監視装置へ送信する手段とを備えたことを特徴としたものである。
【００２４】
被監視装置は、電源投入または再起動の際に起動通知を監視装置へ送信する。監視装置が起動通知を受信し、応答操作を要求する旨の表示をして監視者に報知することで、監視者が監視装置に応答操作を入力して、応答通知を被監視装置へ送信すると、この応答通知を受信して表示している画像データを監視装置へ送信する。監視装置へ被監視装置からの画像データを送信することで、監視装置で画像データを表示して監視を行うことができる。従って、被監視装置の電源投入または再起動で起動通知が送信されることを契機に、監視装置が監視を行うことができる。つまり被監視装置を操作する被監視者が改めて監視プログラムの起動操作を行わないので、被監視者に監視されていることを意識させることがない。
【００２５】
本発明の請求項８の発明は、監視装置が、応答操作を要求する旨の表示をした後に、所定時間経過しても応答操作の入力がないときに送信する無応答通知を受信する手段と、無応答通知を受信した後に操作されると、操作した内容を示す操作情報を監視装置へ送信する手段とを備えたことを特徴としたものである。
【００２６】
被監視装置は、監視装置が応答操作を要求する旨の表示をした後に所定時間経過しても応答操作の入力がないときに送信される無応答通知を受信すると、被監視装置を操作した内容を示す操作情報を監視装置へ送信する。そして、監視装置は、この操作情報を蓄積するので、被監視者が忙しく応答操作をすることができない場合でも、被監視者が被監視装置を操作した様子が、後で監視装置側において確認することができる。
【００２７】
本発明の請求項９の発明は、監視装置が、起動通知を受信したときに、他の機能で画面を使用していると送信するビジー応答通知を受信する手段と、ビジー応答通知を受信すると、監視装置の画面のサイズに応じて、画像データを縮小した縮小画像データを監視装置へ送信する手段を備えたことを特徴としたものである。
【００２８】
監視装置が起動通知を受信したときに、他の機能で画面を使用していると送信されるビジー応答通知を受信すると、監視装置の画面のサイズに応じて、画像データを縮小した縮小画像データを監視装置へ送信するので、監視者が監視装置の画面を、他の機能で使用していても、縮小された縮小画像データを表示するので、他の機能の表示を阻害することが軽減される。また縮小画像データは、通常の画像データと比較してデータサイズを小さいものとすることができるので、監視装置を他の機能で使用していたとしても、監視装置の負荷を軽減することができる。
【００２９】
本発明の請求項１０の発明は、コンピュータを、本発明の請求項４の発明から請求項６の発明のいずれかに記載の監視装置として機能させるための監視プログラムとしたものである。
【００３０】
コンピュータを監視装置として機能させる監視プログラムとしたので、上記監視装置と同じ効果が得られる。
【００３１】
本発明の請求項１１の発明は、コンピュータを、本発明の請求項７の発明から請求項９の発明のいずれかに記載の被監視装置として機能させるための監視プログラムとしたものである。
【００３２】
コンピュータを被監視装置として機能させる監視プログラムとしたので、上記被監視装置と同じ効果が得られる。
【００３３】
（実施の形態）
本発明の実施の形態に係る監視システムを図に基づいて説明する。図１は、本発明の実施の形態に係る監視システムを説明する図である。図２は、本発明の実施の形態に係る監視システムの監視装置の一例であるワイヤレス電話装置の子機の構成を示す図である。図３は、本発明の実施の形態に係る監視システムの被監視装置の一例であるパーソナルコンピュータの構成を示す図である。
【００３４】
図１に示すように、監視システム１は、ワイヤレス電話装置２と、ノートブック型のパーソナルコンピュータ（以下、ＰＣと称す。）３を備えている。
【００３５】
ワイヤレス電話装置２は、有線のＬＡＮ（Ｌｏｃａｌ  Ａｒｅａ  Ｎｅｔｗｏｒｋ）でルータ４を介してインターネット５へ接続されている。また、有線でルータ４に接続されたＰＣ３は、このルータ４を介してインターネット５へ接続されている。また無線でワイヤレス電話装置２と接続されているＰＣ３は、ワイヤレス電話装置２とルータ４とを介してインターネット５へ接続されている。
【００３６】
ワイヤレス電話装置２は、親機６と、親機６に装着された子機７と、親機６から離れた場所へ設置されている子機８，９とを備えている。
【００３７】
子機８は、受話器型に形成されており、子機９はＰＤＡ（Ｐｅｒｓｏｎａｌ  Ｄｉｇｉｔａｌ  Ａｓｓｉｓｔａｎｃｅ）型に形成されている。
【００３８】
本実施の形態に係る監視システム１では、ＰＤＡ型の子機９を監視装置として、被監視装置としてＰＣ３を例に説明する。
【００３９】
まず監視装置として動作する子機９の構成を図２に基づいて説明する。図２に示すように、子機９は、表示部９ａと、キー入力部９ｂと、音声入力部９ｃと、音声出力部９ｄと、通信部９ｅと、記憶部９ｆと、制御部９ｇとを備えている。
【００４０】
表示部９ａは、電話機能を使用するときは発信するときの発信先電話番号や受信したときの発信元電話番号を表示したり、監視機能を使用するときは被監視装置の画像データを表示したり、その他の機能であるスケジュール帳機能やアドレス帳機能や辞書機能などを使用して表示を行ったりすることができる。この表示部９ａには、子機９を掌の上で通話可能とするために小型の液晶ディスプレイが採用されており、ＶＧＡ（Ｖｉｄｅｏ  Ｇｒａｐｈｉｃｓ  Ａｒｒａｙ）が表示可能な６４０ドット×４８０ドットより表示機能が低いものが使用されている。
【００４１】
キー入力部９ｂは、押しボタン式のスイッチや、表示部９ａの表面に設けられたタッチパネルなどの入力手段である。これらの入力があるとキー入力部９ｂは、制御部９ｇにその内容を通知する。
【００４２】
音声入力部９ｃは、電話機能を使用するときの音声を入力する手段であり、マイクなどが使用できる。
【００４３】
音声出力部９ｄは、電話機能を使用するときの音声を出力する手段であり、スピーカなどが使用できる。
【００４４】
通信部９ｅは、親機６と無線で通信する手段であり、プロトコルはブルートゥース（Ｂｌｕｅｔｏｏｔｈ（登録商標））やＩＥＥＥ８０２．１１ｂなどを用いて通信することができる。また通信部９ｅは、有線で他の装置と通信するために、ＵＳＢ（Ｕｎｉｖｅｒｓａｌ  Ｓｅｒｉａｌ  Ｂｕｓ）を備えている。
【００４５】
記憶部９ｆは、各種の設定や、入力された情報や、子機９を動作させるオペレーティングプログラムや監視プログラムなどが格納された記憶手段である。
【００４６】
制御部９ｇは、記憶部９ｆからオペレーティングプログラムや監視プログラムを読み出して子機９全体を統括制御するために、高速で動作可能であり消費電力の少ないマイクロプロセッサを備えている。
【００４７】
次に、被監視装置として動作するＰＣ３を図３に基づいて説明する。図３に示すようにＰＣ３は、表示部３ａと、キー入力部３ｂと、通信部３ｃと、読取部３ｄと、記憶部３ｅと、制御部３ｆとを備えている。
【００４８】
表示部３ａは、ブラウザなどの閲覧ソフトを動作させてインターネット５にあるウェブページを表示したり、文書作成ソフトを動作させて文章の表示を行ったりする表示手段である。表示部３ａは、ウェブページを表示したり、文章を作成したりする際に表示を行うものなので、ＸＧＡ（ｅＸｔｅｎｄｅｄ  Ｇｒａｐｈｉｃｓ  Ａｒｒａｙ）やＳＶＧＡ（Ｓｕｐｅｒ  Ｖｉｄｅｏ  Ｇｒａｐｈｉｃｓ  Ａｒｒａｙ）が表示可能なものが望ましい。また表示部３ａは、画像データを格納するメモリを備えている。本実施の形態ではノートブック型のＰＣ３であるので表示部３ａとしては液晶ディスプレイとしたが、ＰＣがデスクトップ型である場合には表示部としてはＣＲＴ（Ｃａｔｈｏｄｅ  Ｒａｙ  Ｔｕｂｅ）なども使用できる。
【００４９】
キー入力部３ｂは、キーボードなどのキースイッチや、タッチパッドやマウスなどのポインティングデバイスなどの入力手段である。これらの入力があるとキー入力部３ｂは、制御部３ｆにその内容を通知する。
【００５０】
通信部３ｃは、他の装置と通信する手段であり、無線で通信するときにはプロトコルはブルートゥースやＩＥＥＥ８０２．１１ｂなどを用いて通信することができる。また通信部３ｃは、有線で他の装置と通信するために、ＵＳＢや１０ＢＡＳＥ−Ｔや、電話線を介してインターネット５と接続する場合にはモデムなどを備えている。
【００５１】
読取部３ｄは、監視プログラムが記録された記録媒体をインストールする際に読み取るための手段である。記録媒体としては、フレキシブルディスクや、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、メモリカードなどが使用できる。インストールは、監視プログラムがインターネット５に接続されたサーバに格納してある場合には、ルータ４を介してプログラムをダウンロードしてインストールすることも可能である。
【００５２】
記憶部３ｅは、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）や、ハードディスクドライブなどを備えており、オペレーティングプログラムや監視プログラムの設定などが格納されている。またオペレーティングプログラムや監視プログラムの作業領域としても使用される。
【００５３】
制御部３ｆは、記憶部３ｅからオペレーティングプログラムや監視プログラムを読み出してＰＣ３全体を統括制御するために、内部キャッシュを有するような高速で高機能なマイクロプロセッサを備えている。
【００５４】
以上のように構成される本発明の実施の形態に係る監視システムの動作を図４から図１０に基づいて説明する。なお本実施の形態では、無線で親機６と接続されたＰＣ３を被監視装置とする。従ってＰＣ３と監視装置である子機９とは親機６を介してデータの送受信を行うものである。
【００５５】
まず、ＰＣ３が電源投入または再起動によって起動メッセージを子機９へ送信したときの監視システムの動作を図４から図６に基づいて説明する。図４は、本発明の実施の形態に係る監視システムの動作を説明するフローチャートである。図５は、応答操作を要求する旨の表示がされた表示部の一例を示す図である。図６（ａ）は、ＰＣの表示部で表示している画面の状態を示す図であり、図６（ｂ）は、画像データを受信して表示した画面の状態を示す図である。
【００５６】
電源が投入されるとＰＣ３は、まず制御部３ｆが記憶部３ｅのＲＯＭに格納されたＢＩＯＳ（Ｂａｓｉｃ  Ｉｎｐｕｔ／Ｏｕｔｐｕｔ  Ｓｙｓｔｅｍ）を実行して初期診断や初期設定を行うとともに、記憶部３ｅのハードディスクドライブに格納されたＯＳ（Ｏｐｅｒａｔｉｎｇ  Ｓｙｓｔｅｍ）を読み出して記憶部３ｅのメモリに展開する。
【００５７】
そしてＯＳが読み出されて実行されると、例えばＯＳがウィンドウズ（登録商標）であればスタートアップに登録されたプログラムを起動する。このスタートアップに登録されたプログラムは、電源が投入されても、再起動されても実行されるので、監視プログラムのショートカットを登録しておくことで、制御部３ｆは監視プログラムを実行して、ＰＣ３が起動したことを示す起動メッセージ（起動通知）を、通信部３ｃを介して無線で子機９へ送信することができる（Ｓ１０）。
【００５８】
子機９の制御部９ｇは、ＰＣ３から送信された起動メッセージを、通信部９ｅを介して受信すると、応答操作を要求する旨の表示を表示部９ａに行う。この応答操作を要求する旨の表示の一例を図５に示す。図５に示すように「ＰＣが起動しました」と表示されることで、子機９を操作する操作者は、応答操作をする必要があると認識して、キー入力部９ｂの応答キーＲを押下する。キー入力部９ｂから応答キーＲの押下が通知され制御部９ｇは、ＰＣ３へ応答メッセージ（応答通知）を送信する（Ｓ２０）。
【００５９】
子機９から送信された応答メッセージを、通信部３ｃを介して受信したＰＣ３の制御部３ｆは、表示部３ａに表示している画像データを取得して、子機９へ送信する（Ｓ３０）。
【００６０】
画像データを受信した子機９の制御部９ｇは、画像データを表示部９ａに表示する。受信した画像データが表示された例を図６に示す。図６（ａ）は、ＰＣ３の表示部３ａで表示している画面の状態である。この画像データを受信して子機９の表示部９ａに表示する場合では、ＰＣ３の表示部３ａと比較してサイズが小さい子機９の表示部９ａでは、図６（ｂ）に示すように一部のみの表示となる。しかし、キー入力部９ｂの操作によって縦スクロールまたは横スクロールを行うことで全体を監視することが可能である（Ｓ４０）。
【００６１】
ＰＣ３の制御部３ｆは、表示している画像データに変化が発生したか否かを判定する（Ｓ５０）。もし画像データに変化が生じた場合にはＳ３０へ移行することで、ＰＣ３が表示している画像データが次々と子機９へ送信されることになるので、子機９でＰＣ３を監視することが可能である。変化した際に送信する画像データは、変化した部分のみを送信すると送信するデータ量が少なくて済むため望ましい。また画像データは圧縮して送信するのが、同様にデータ量が少なくて済むため望ましい。
【００６２】
このように、ＰＣ３の電源投入または再起動で起動通知が送信されることを契機に、子機９が監視を行うことができる。つまりＰＣ３を操作する操作者が子供で、子機９を操作する操作者が親であっても、子供が改めてＰＣ３を操作して監視プログラムの起動を行わなくとも、親が監視することができるので、子供に監視されていることを意識させることがない。
【００６３】
次に、子機９が起動メッセージを受信して応答操作を要求する表示が行われても、子機９の操作者による応答操作が行われなかったときの監視システムの動作を図７および図８に基づいて説明する。図７は、本発明の実施の形態に係る監視システムの動作を説明するフローチャートである。図８は、蓄積された操作情報を説明した図である。
【００６４】
図７に示すように、まずＰＣ３が電源投入または再起動される。ここでは、図４に示すＳ１０と同じであるため詳細な説明は省略する。
【００６５】
子機９の制御部９ｇは、ＰＣ３から送信された起動メッセージを受信すると、応答操作を要求する旨の表示を表示部９ａに行う。このとき操作者が子機９の前にいないか、何らかの理由により応答操作を要求する旨の表示が認識できずに子機９が放置されると、制御部９ｇは、応答操作を要求する表示を開始してからの時間を計測していて、所定時間経過したことを契機に、無応答メッセージ（無応答通知）をＰＣ３へ送信する。この所定時間は子機９の記憶部９ｆに時間設定されている（Ｓ１００）。
【００６６】
無応答メッセージを受信したＰＣ３の制御部３ｆは、画像データを送信せずに、ＰＣ３を操作してアプリケーションを起動したか否かを判定する。この判定には、ブラウザを操作してインターネット５をアクセスしたかも含まれる（Ｓ１１０）。
【００６７】
Ｓ１１０でアプリケーションを起動するように操作が行われていると判定された場合には、操作者が操作した内容を示す操作情報が子機９へ送信される（Ｓ１２０）。
【００６８】
操作情報を受信した子機９の制御部９ｇは、記憶部９ｆに後に参照可能なファイル形式で蓄積する。参照可能なファイル形式とは、例えばテキスト形式や、文書編集ソフトで表示可能な形式や、表計算ソフトで表示可能な形式や、ブラウザで表示可能なＨＴＭＬ（ＨｙｐｅｒＴｅｘｔ  Ｍａｒｋｕｐ  Ｌａｎｇｕａｇｅ）形式などである。
【００６９】
そして操作者が子機９を操作可能な状態となったときに、この蓄積された操作情報を表示する（Ｓ１３０）。ここで蓄積された操作情報について図８に基づいて詳細に説明する。図８では、ユーザＡとユーザＢとが操作した内容が蓄積されている。ユーザＡとユーザＢとは、例えば、無線で親機６と接続されたＰＣ３を操作する操作者がユーザＡであり、有線でルータ４と接続されたＰＣ３を操作者がユーザＢである場合などを示す。
【００７０】
まずユーザＡは、アプリケーションとして文書編集ソフトで、時刻「２００４．１２．９．１０：００」に、ファイル「ＢＢＢ．ｄｏｃ」を開いたことがわかる。また、ユーザＡは、ブラウザで「２００４．１２．９．１２：００」に、ＵＲＬ（Ｕｎｉｆｏｒｍ  Ｒｅｓｏｕｒｃｅ  Ｌｏｃａｔｏｒ）として「ｈｔｔｐ：／／ａａａ．ｃｏ．ｊｐ」をアクセスしたことがわかる。
【００７１】
このように、ＰＣ３を操作する操作者がどのような操作を行っていたかがわかるので、子機９で画像データをリアルタイムに表示できなくても、監視することが可能である。
【００７２】
次に、子機９が起動メッセージを受信したときに、子機９の操作者が他の機能で子機９を使用していたときの監視システムの動作を図９および図１０に基づいて説明する。図９は、本発明の実施の形態に係る監視システムの動作を説明するフローチャートである。図１０は、縮小画像データを表示する表示部の一例を示す図である。
【００７３】
図９に示すように、子機９の操作者は、子機９で通話を行っているとする（Ｓ２００）。
【００７４】
Ｓ２００で通話を行っているときに、ＰＣ３が電源投入または再起動される。このときの動作は、図４に示すＳ１０と同じであるため詳細な説明は省略する。
【００７５】
子機９の制御部９ｇは、ＰＣ３から送信された起動メッセージを受信すると、通話を行っていると判断して、ビジーメッセージ（ビジー応答通知）をＰＣ３へ送信する。子機９で通話を行っていると、表示部９ａには通話を行う際の通話表示の画面となっている。例えば、通話中を示す表示をしたり、通話時間を表示したりしているので、表示部９ａのサイズが小さい子機９は、表示部３ａのサイズが大きいＰＣ３の画像データを表示することが困難である。従って、応答操作を要求する旨の表示を行うものの、今は表示することが困難であることを意味するビジーメッセージをＰＣ３へ送信する（Ｓ２１０）。
【００７６】
子機９から送信されたビジーメッセージを受信したＰＣ３の制御部３ｆは、表示部３ａに表示している画像データを取得し、その画像データを縮小して縮小画像データとして子機９へ送信する。ＰＣ３の表示部３ａと比較してサイズが小さい子機９の表示部９ａは、他の機能で使用されているので、更に表示可能な領域は小さいものとなる。そうした場合に、更に小さくなった表示領域に画像データの表示内容が収まるように、全体はそのままに内容を間引いて画像データの大きさを小さくして縮小画像データとして送信するものである（Ｓ２２０）。
【００７７】
縮小画像データを受信した子機９の制御部９ｇは、表示部９ａに縮小画像データを表示する。このときの表示は、他の機能の表示（ここでは通話表示）で使用しているので、元の表示を残しつつ、縮小画像データを表示する（Ｓ２３０）。このときの表示部９ａの一例を図１０に示す。図１０に示すように、子機９の制御部９ｇは、表示部９ａに、通話表示と、応答操作を要求する旨の表示とを行いつつ、スーパーインポーズで縮小画像データを表示している。
【００７８】
図９に戻って、ＰＣ３の制御部３ｆは、表示している画像データに変化が発生したか否かを判定する（Ｓ２４０）。もし画像データに変化が生じた場合にはＳ２２０へ移行することで、ＰＣ３が表示している縮小画像データが次々と子機９へ送信されることになるので、子機９でＰＣ３を監視することが可能である。
【００７９】
子機９の操作者がキー入力部９ｂの応答キーＲ（図１０参照）の押下を行うと（Ｓ２５０）、子機９の制御部９ｇは、応答メッセージをＰＣ３へ送信する（Ｓ２６０）。
【００８０】
応答メッセージを受信したＰＣ３の制御部３ｆは、この応答メッセージを受信したことを契機に、表示部３ａから取得した画像データを（Ｓ２７０）縮小せずにそのまま子機９へ送信する（Ｓ２８０）。
【００８１】
このように、他の機能によって表示部９ａの表示領域が限られているときに、画像データを縮小した縮小画像データを被監視装置であるＰＣ３が送信するので、表示部９ａの限られた表示領域の中で監視することが可能である。また、監視装置である子機９は、他の機能が動作しているため、制御部９ｇの負荷が高くなっている。従って縮小画像データとしてデータサイズを小さいものとすることで、制御部９ｇの負荷を軽減することができる。
【産業上の利用可能性】
【００８２】
本発明は、被監視者に監視していることを気が付かせないで、被監視者が操作する被監視装置を監視することが可能なので、遠隔地にある被監視装置からの画像データを表示することで監視を行う監視装置および監視システムに好適である。
【図面の簡単な説明】
【００８３】
【図１】本発明の実施の形態に係る監視システムを説明する図
【図２】本発明の実施の形態に係る監視システムの監視装置の一例であるワイヤレス電話装置の子機の構成を示す図
【図３】本発明の実施の形態に係る監視システムの被監視装置の一例であるパーソナルコンピュータの構成を示す図
【図４】本発明の実施の形態に係る監視システムの動作を説明するフローチャート
【図５】応答操作を要求する旨の表示がされた表示部の一例を示す図
【図６】（ａ）ＰＣの表示部で表示している画面の状態を示す図、（ｂ）画像データを受信して表示した画面の状態を示す図
【図７】本発明の実施の形態に係る監視システムの動作を説明するフローチャート
【図８】蓄積された操作情報を説明した図
【図９】本発明の実施の形態に係る監視システムの動作を説明するフローチャート
【図１０】縮小画像データを表示する表示部の一例を示す図
【符号の説明】
【００８４】
１    監視システム
２    ワイヤレス電話装置
３    パーソナルコンピュータ（ＰＣ）
３ａ    表示部
３ｂ    キー入力部
３ｃ    通信部
３ｄ    読取部
３ｅ    記憶部
３ｆ    制御部
４    ルータ
５    インターネット
６    親機
７，８，９    子機
９ａ    表示部
９ｂ    キー入力部
９ｃ    音声入力部
９ｄ    音声出力部
９ｅ    通信部
９ｆ    記憶部
９ｇ    制御部
Ｒ    応答キー
【図１】
2006229413.tif 000003
【図２】
2006229413.tif 000004
【図３】
2006229413.tif 000005
【図４】
2006229413.tif 000006
【図５】
2006229413.tif 000007
【図６】
2006229413.tif 000008
【図７】
2006229413.tif 000009
【図８】
2006229413.tif 000010
【図９】
2006229413.tif 000011
【図１０】
2006229413.tif 000012